(57)【要約】  【課題】  ドア面に一切の螺子類が表れず、引手のガタツキや脱落が起こらず、引手の浮きによる鍔部の破損などを生じさせないドア用構造体及び締め付けが極めて容易で強固な固定ができるドア用構造体の取り付け方法を提供すること。  【解決手段】  ドアの端面から奥側に向けて配設されるその場回転する締め付け螺子１と、締め付け螺子１に螺合する螺子孔２１及び前方斜めに延出する左右一対の係止片２２を有する移動締め付け係止具２と、移動締め付け係止具２の係止片２２と同じ傾斜角度を持つ傾斜部３１を有する左右一対の本体部材３とを備えるドア用構造体１０。【選択図】        図２
2006257736.tif 000002
【特許請求の範囲】
【請求項１】
ドアの端面から奥側に向けて配設されるその場回転する締め付け螺子と、
該締め付け螺子に螺合する螺子孔及び前方斜めに延出する左右一対の係止片を有する移動締め付け係止具と、
該移動締め付け係止具の係止片と同じ傾斜角度を持つ傾斜部を有する左右一対の本体部材と、
を備えることを特徴とするドア用構造体。
【請求項２】
引き戸用両面掘り込み引手であることを特徴とする請求項１記載のドア用構造体。
【請求項３】
該左右一対の本体部材は、指が入る凹部を有する箱状の埋設部を有し、該埋設部の前側面に尖り状の固定爪を付設してなることを特徴とする請求項２記載のドア用構造体。
【請求項４】
ドアの端面から奥側に向けて配設されるその場回転する締め付け螺子と、該締め付け螺子に螺合する螺子孔及び前方斜めに延出する左右一対の係止片を有する移動締め付け係止具と、該移動締め付け係止具の係止片と同じ傾斜角度を持つ傾斜部を有する左右一対の本体部材を備え、該締め付け螺子の先に移動締め付け係止具の螺子孔を螺合させ、該移動締め付け係止具の係止片の先を該本体部材の傾斜部に係合させ、次いで、該締め付け螺子を締め付けることにより、移動締め付け係止具を前進させ、該左右一対の本体部材を引き込みドア面に固定することを特徴とするドア用構造体の取り付け方法。
【請求項５】
引き戸用両面掘り込み引手であることを特徴とする請求項４記載のドア用構造体の取り付け方法。
【発明の詳細な説明】
【技術分野】
【０００１】
本発明は、ドア面を両側から挟持して取り付けられる、引き戸用両面掘り込み引手、鎌錠及びドアハンドル等のドア用構造体に関するものである。
【背景技術】
【０００２】
従来の引戸用掘り込み引手は、指がかかる、底部と側部から形成される凹部と、該凹部の周りの鍔部からなる左右一対のものであり、これをドア面の両側から挟持するように取り付けられている（例えば、特開２００４−７６５０７号公報）。この取り付け方法としては、凹部の底部と側部の境界近傍から釘を打ち込み固定する方法、あるいは鍔部の四隅を螺子止めする方法などが知られている。
【特許文献１】特開２００４−７６５０７号公報（請求項１）
【発明の開示】
【発明が解決しようとする課題】
【０００３】
しかしながら、釘を打ち込み固定する方法は、襖などに限定された方法であり、重さのあるドアには不向きであり、また、年月が経つにつれ固定が緩みガタが生じたり、引手の浮きが発生するなどの問題がある。また、鍔部の四隅を螺子止めする方法は、固定は安定するものの、締め付け螺子の頭が外から見えるため、意匠性に欠け、また、締め付け工程に時間がかかるという問題がある。
【０００４】
従って、本発明の目的は、ドア面に一切の螺子類が表れず、引手のガタツキや脱落が起こらず、引手の浮きによる鍔部の破損などを生じさせないドア用構造体及び締め付けが極めて容易で強固な固定ができるドア用構造体の取り付け方法を提供することにある。
【課題を解決するための手段】
【０００５】
かかる実情において、本発明者らは鋭意検討を行った結果、ドアの端面に付設されるその場回転する締め付け螺子と、該締め付け螺子に螺合する螺子孔及び前方斜めに延出する左右一対の係止片を有する移動締め付け係止具と、該移動締め付け係止具の係止片と同じ傾斜角度を持つ傾斜部を有する左右一対の本体部材と
を備えたドア用構造体であれば、ドア面に一切の螺子類が表れず、引手のガタツキや脱落が起こらず、引手の浮きによる鍔部の破損などを生じさせないこと、また、締め付けが極めて容易で強固な固定ができることなどを見出し、本発明を完成するに至った。
【０００６】
すなわち、本発明は、ドアの端面から奥側に向けて配設されるその場回転する締め付け螺子と、該締め付け螺子に螺合する螺子孔及び前方斜めに延出する左右一対の係止片を有する移動締め付け係止具と、該移動締め付け係止具の係止片と同じ傾斜角度を持つ傾斜部を有する左右一対の本体部材とを備えるドア用構造体を提供するものである。
【０００７】
また、本発明は、ドアの端面から奥側に向けて配設されるその場回転する締め付け螺子と、該締め付け螺子に螺合する螺子孔及び前方斜めに延出する左右一対の係止片を有する移動締め付け係止具と、該移動締め付け係止具の係止片と同じ傾斜角度を持つ傾斜部を有する左右一対の本体部材を備え、該締め付け螺子の先に移動締め付け係止具の螺子孔を螺合させ、該移動締め付け係止具の係止片の先を該本体部材の傾斜部に係合させ、次いで、該締め付け螺子を締め付けることにより、移動締め付け係止具を前進させ、該左右一対の本体部材を引き込みドア面に固定するドア用構造体の取り付け方法を提供するものである。
【発明の効果】
【０００８】
本発明のドア用構造体によれば、ドア面に一切の螺子類が表れず、引手のガタツキや脱落が起こらず、引手の浮きによる鍔部の破損などを生じさせない。また、本発明のドア用構造体の取り付け方法によれば、締め付けが極めて容易で強固な固定ができる。
【発明を実施するための最良の形態】
【０００９】
次に、本発明の実施の形態におけるドア用構造体及びドア用構造体の取り付け方法を図１〜図１１を参照して説明する。図１はドア用構造体の分解図、図２〜図４はドア用構造体の締め付け動作を説明する図、図５〜図８はドア用構造体の組み付け方法を説明する図、図９は図８をドアの端面から見た一部を断面で示す図、図１０は図８を上から見た一部を断面で示す図、図１１は厚みのあるドアに取り付けたドア用構造体を上から見た一部を断面で示す図である。なお、本明細書において、「前方」はドアの端面側を言い、ドアの端面はドアを閉じた場合、柱又はドア枠に当接する左右方向における側面を言う。また、「後方」はその反対方向を言う。
【００１０】
本実施の形態におけるドア用構造体は、引き戸用両面掘り込み引手である。図中、引き戸用両面掘り込み引手（以下、単に「引手」とも言う）１０は、ドアの端面から奥側に向けて配設されるその場回転する締め付け螺子１、１と、締め付け螺子１、１に螺合する螺子孔２１、２１及び前方斜めに延出する左右一対の係止片２２、２２を有する移動締め付け係止具２、２と、移動締め付け係止具２、２の係止片２２、２２と同じ傾斜角度を持つ傾斜部３１、３１を有する左右一対の本体部材３、３を備える。
【００１１】
その場回転するとは、通常の締め付け螺子は締め付け方向に回転しながら前進し、部材に食い込み摩擦により固定するものであるのに対して、部材に食い込むのではなく、締め付け方向に回すことにより回転はしつつも前進が規制された状態を言う。従って、締め付け螺子１、１の先端に取り付けられた移動締め付け係止具２、２が前方方向（螺子頭方向）に前進してくることになる。また、同じ傾斜角度における「同じ」とは、移動締め付け係止具２、２と傾斜部３１、３１が係合し、本体部材３、３が引き込まれる作用が奏する限り、多少傾斜角は違っていてもよいという広い意味である。
【００１２】
締め付け螺子１、１は、本体部材３、３の傾斜部３１、３１のドア端面からの設置位置よりやや長めのものであり、本例では全長に亘り雄螺子が切られている。また、締め付け螺子１、１はドア端面に当接する取付プレート５の螺子挿通孔５１、５１に挿通される。これにより、締め付け螺子１、１の位置が決定され、且つその場回転が実現する。なお、締め付け螺子１、１に切られた雄螺子は、本例の他、先端部分に切られてものであってもよい。
【００１３】
移動締め付け係止具２は、締め付け螺子１に螺合する螺子孔２１を備えた矩形状の本体部材２１１と、該本体部２１１の左右両側端から前方斜めに延出する左右一対の係止片２２、２２を有する。移動締め付け係止具２の形状はドア端面側から見て横長の矩形状であり、平面視で略八の字形状である。係止片２２の長さ寸法としては、特に制限されず、ドアの厚みあるいは本体部材の有効引き込み寸法等を考慮して決定される。
【００１４】
左右一対の本体部材３、３は、移動締め付け係止具２、２の係止片２２、２２と同じ傾斜角度を持つ傾斜部３１、３１を有するものであれば、特に制限されず、本例では引手の本体部材である。すなわち、本体部材３は、ドア７に埋設される埋設部３３を有する鍔付き本体部３ａと、支柱状の操作部材３５と、鍔付き本体部３ａの底面に固定される底板３４からなる。本体部材３は、底板３４を鍔付き本体部３ａの底面にビスａで留め、操作部材３５を鍔付き本体部３ａの切り欠き部３６にビスｂで留めることにより得られ、操作部材３５が橋脚状に付設された指がかかる凹部４と、凹部４の周りの鍔部３２からなる本体部材が形成される。
【００１５】
また、埋設部３３は四角形状の箱状であり、箱状の上面には、傾斜部３１を有する係止部材３７が付設されている。傾斜部３１の厚み（傾斜の長さ）は、通常、移動締め付け係止具２の係止片２２の長さと概ね同じとすればよい。また、埋設部３３の前側面３９には尖り状の固定爪３８が付設されている、これにより、締め付け螺子１を締め付ければ、固定爪３８が埋設部３３の前方にあるドア構造部材に食い込み、引手の外れを防止し、またガタツキを防止することができる。
【００１６】
引手１０を組み付ける方法を図５〜図８を参照して説明する。引手１０が取り付けられるドア７は、本体部材３の埋設部３３が埋設されるよう、埋設部形状のものが所定位置にくり抜かれている（符号７２）。また、ドア端面７３には、取付プレート５が嵌る取付プレート形状で且つ所定の深さの凹部７１が形成され、更に締め付け螺子１、１が挿通する挿通孔７４、７４がドアの後方側に向けて形成されている。先ず、移動締め付け係止具２、２をくり抜き部７２に仮に設置する（図５）。次いで、締め付け螺子１、１を取付プレート５を介して、ドア７の端面７３に取り付ける。そして、締め付け螺子１、１の先端部分に移動締め付け係止具２、２の螺子孔２１を螺合させる（図６）。次いで、ドア７の両側から、本体部材３、３をくり抜き部４に、埋設部３３が先に入るように挿入する。この際、移動締め付け係止具２、２の係止片２２、２２の先端が本体部材３、３の傾斜部３１、３１にかかるようにセットする（図７）。次いで、締め付け螺子１、１を締め付け、本体部材３、３をドア面に固定する（図８）。
【００１７】
次に、引手１０の締め付け動作を図２〜図４を参照して説明する。なお、図２〜図４は内部構造を判り易くするために、ドア部材の記載を省略してある。図２は組み付け状態を説明する図７の状態である。すなわち、移動締め付け係止具２、２の係止片２２、２２の先端が本体部材３、３の傾斜部３１、３１にかかるようにセットされた状態である。先ず、図２において、締め付け螺子１、１を図３の矢印Ｘの方向に回す。締め付け螺子１、１は前後方向への移動はなく、その場回転し、その先に螺合する移動締め付け係止具２、２がドア端面側へ前進する（図３の矢印Ｙの方向）。移動締め付け係止具２、２がドア端面側へ前進すると、移動締め付け係止具２、２の係止片２２、２２に係合している本体部材３、３の傾斜部３１、３１は、係止片２２、２２に沿って滑り、本体部材３、３は内方へ引き込まれる（図４の矢印Ｚの方向）。すなわち、本体部材３、３は互いに近づくように移動し、遂にはドア面に固定される。
【００１８】
本発明のドア用構造体において、本体部材は、傾斜部を備えたものであれば、特に制限されず、引き戸用両面掘り込み引手の他、鎌錠やドアハンドルにも適用可能である。鎌状やドアハンドルにおいても、引き戸用両面掘り込み引手と同様に、ドアの端面から奥側に向けて配設されるその場回転する締め付け螺子と、該締め付け螺子に螺合する螺子孔及び前方斜めに延出する左右一対の係止片を有する移動締め付け係止具と、該移動締め付け係止具の係止片と同じ傾斜角度を持つ傾斜部を有する左右一対の本体部材とを備えるものであり、本体部材の内部構造が、それぞれ特有の構造を採るものである。これら特有の構造は公知のものが使用できる。また、本実施の形態例の引き戸用両面掘り込み引手において、ドア面に表れる鍔部及び指が入る凹部形状などは、これに限定されず、種々の形態のものが使用できる。
【００１９】
引手１０によれば、ドア面に一切の螺子類が表れず、引手のガタツキや脱落が起こらず、引手の浮きによる鍔部の破損などを生じさせない。なお、引手１０のドア端面７３には締め付け螺子１の螺子頭が表れるものの、当該ドア端面は通常、ドアを開け閉めする者からは見え難い部分であり、実質外観には相当しない部分である。また、本発明のドア用構造体の取り付け方法によれば、締め付けが極めて容易で強固な固定ができる。また、ドアの厚みが異なるものについても適用できる。すなわち、引手１０はドアの厚みｍは２８〜４０ｍｍまでのものについて適用できる。ドアの厚みが４０ｍｍを超えるものは、本体部材３の傾斜部３１にかかる移動締め付け係止具２の係止片２２の有効係り面積が小さくなり、外れる恐れがある。
【図面の簡単な説明】
【００２０】
【図１】本実施の形態におけるドア用構造体の分解図である。
【図２】本例のドア用構造体の締め付け動作を説明する図である。
【図３】本例のドア用構造体の締め付け動作を説明する図である。
【図４】本例のドア用構造体の締め付け動作を説明する図である。
【図５】本例のドア用構造体の組み付け方法を説明する図である。
【図６】本例のドア用構造体の組み付け方法を説明する図である。
【図７】本例のドア用構造体の組み付け方法を説明する図である。
【図８】本例のドア用構造体の組み付け方法を説明する図である。
【図９】図８をドアの端面から見た一部を断面で示す図である。
【図１０】図８を上から見た一部を断面で示す図である。
【図１１】厚みのあるドアに取り付けたドア用構造体を上から見た一部を断面で示す図である。
【符号の説明】
【００２１】
１      締め付け螺子
２      移動締め付け係止具
３      本体部材
４      凹部
５      取付プレート
７      ドア
２１      螺子孔
２２      係止片
３１      傾斜部
３８      尖り状の固定爪
ａ、ｂ    ビス
Ｘ、Ｙ、Ｚ    矢印
【図１】
2006257736.tif 000003
【図２】
2006257736.tif 000004
【図３】
2006257736.tif 000005
【図４】
2006257736.tif 000006
【図５】
2006257736.tif 000007
【図６】
2006257736.tif 000008
【図７】
2006257736.tif 000009
【図８】
2006257736.tif 000010
【図９】
2006257736.tif 000011
【図１０】
2006257736.tif 000012
【図１１】
2006257736.tif 000013